(57)【要約】【課題】  複数の救護区分または一つの救護区分を表示可能とするとともに、一つの救護区分のみを表示する場合には、救護区分を六種類まで表示可能としつつ、ネームプレートに汎用性を持たせ、ボード形のナースコール親機が縦方向に大きくならないようにすることを目的とする。【解決手段】  対向する二つの面が略正方形を成す六面体の正方形の中央部分に軸を設け、その軸により三つの六面体を回転可能に連結し、連結した六面体が略立方体を成すように救護区分表示駒３を形成して、立方体を形成する六面に救護区分を示す表示を割り当てるようにしている。また、救護区分表示駒３を救護区分表示駒収容部４に収容し、少なくとも一人の患者の患者情報を表示する患者情報表示部２を備えるようにし、救護区分表示駒３と救護区分表示駒収容部４の少なくとも一部との間に磁力を持たせるようにしている。【選択図】        図１
2009133983.tif 000002
【特許請求の範囲】
【請求項１】
少なくとも対向する二つの面が略正方形を成し、前記正方形の中心部分を軸にして回転可能に連結した複数の六面体が略立方体を成すように形成し、前記立方体を形成する六面に救護区分を示す表示を割り当てた救護区分表示駒と、
前記救護区分表示駒を収容する救護区分表示駒収容部と、
少なくとも一人の患者の患者情報を表示する患者情報表示部とを備え、
前記救護区分表示駒収容部の少なくとも一部と前記救護区分表示駒との間に磁力を持たせたことを特徴とする救護区分表示機能付きネームプレート。
【発明の詳細な説明】
【技術分野】
【０００１】
本発明は、病院などで患者からの要求に応じて医療従事者を呼出すナースコールシステムのナースコール親機や廊下灯などにおいて、患者の氏名や救護区分などを表示する救護区分表示機能付きネームプレートに関する。
【背景技術】
【０００２】
病院や福祉施設などの施設に設置されるナースコールシステムは、看護師などの医療従事者や介護師（以下、単に医療従事者と記載する）が居るスタッフルームに設置されるナースコール親機と、患者や被介護者（以下、単に患者と記載する）が居る病室側に設置され、ナースコール親機と接続された廊下灯と、各患者のベッド毎に病室内の壁面に設置され、廊下灯と接続された壁埋込形子機とを備えている。
【０００３】
ナースコール親機としては、患者の氏名などの患者情報が救護区分情報とともに一覧表示可能なボード形と呼ばれるものが存在する（例えば、特許文献１など）。このようなボード形のナースコール親機は、医療従事者が常駐するナースセンターの壁面に設置され、患者情報および救護区分情報が患者毎に区分けされている。この区分けされた領域には、患者の氏名などを表示する患者氏名表示部と患者が居る病室番号を表示する病室番号表示部と患者の救護区分情報を表示する救護区分表示部とが設けられている。
【特許文献１】特開２００７−３６７８１号公報
【０００４】
ここで、救護区分とは、一般的に、緊急の際に危険なところからどうやって患者を移送するかの程度を表すものである。この救護区分としては、例えば、「担送」（患者を担いで移送することができる）、「護送」（患者に付き添うことで患者が移動することができる）、「独歩」（患者が自力で歩行して移動することができる）の三種類が存在している。また、厳密には救護区分ではないが、上述した患者の移動以外に、ＭＥ（Medical Electronics）機器の使用状況（人工呼吸器の使用、他のＭＥ機器の使用、両方の使用の三種類）や、食事の状況（絶食、特食（特別な食事を要する）、粥食、常食（通常の食事が可能）の四種類）を救護区分として使用するケースも存在する。
【０００５】
ところで、「担送」、「護送」、「独歩」の三種類の救護区分を示す三色のカラーチップを組み合わせた表示駒をボード形のナースコール親機や廊下灯などに組み込み、ボード形のナースコール親機や廊下灯などの表面に表示される色を、表示駒を回転させることにより切り替えることで救護区分を示す回転式救護区分表示装置が知られている（例えば、特許文献２など）。
【特許文献２】特開２００１−２１５９０５号公報
【０００６】
また、特許文献２に記載の回転式救護区分表示装置において、一般的な救護区分だけではなく、ＭＥ機器の使用状況や食事の状況などの複数の救護区分を表示できるように、表示駒を三列並べて、それぞれが独立して回転できるようにしたボード形のナースコール親機も実用されている。
【０００７】
ここで、上述した食事の状況を示す救護区分のように、四種類の表示の切り替えを必要とする場合には、特許文献２に記載の三色のカラーチップを組み合わせて断面を略三角形状とした表示駒ではなく、四色のカラーチップを組み合わせて断面を略四角形状とした表示駒１１を用いることが好ましい（図２（ａ）および図２（ｃ）参照）。図２（ａ）に示すように、断面を四角形状とした表示駒１１は、その各辺部分の平面をネームプレート１３の開口部に対向させることにより、四種類の救護区分の表示の切り替えが可能となる。また、表示駒１１の表示を切り替える場合には、図２（ｃ）に示すように、医療従事者は、表示駒１１を回転させる。
【０００８】
また、ある救護区分が六種類の表示の切り替えを必要とする場合には、六色のカラーチップを組み合わせて断面を六角形状とした表示駒１２を用いることが好ましい（図２（ｂ）および図２（ｄ）参照）。図２（ｂ）に示すように、断面を六角形状とした表示駒１２は、その各辺部分の平面をネームプレート１４の開口部に対向させることにより、六種類の救護区分の表示の切り替えが可能となる。また、表示駒１２の表示を切り替える場合には、図２（ｄ）に示すように、医療従事者は、表示駒１２を回転させる。なお、表示駒１１，１２は、カラーチップを組み合わせるのではなく、各辺部分の平面を着色したり、各辺部分の平面にカラーシールを貼り付けたりしたものであっても良い。
【０００９】
上述したように、複数の救護区分を表示する場合には、表示駒を複数列並べることで対応することが可能であるが、ある救護区分が四種類を超える種類（例えば六種類）の表示の切り替えを必要とする場合に、救護区分の表示領域の視認性を確保するためには、六角形状の表示駒１２を使用するネームプレート１４の開口部の縦の幅を四角形状の表示駒１１を使用するネームプレート１３の開口部の縦の幅と同等の大きさとする必要があった。
【００１０】
そうすると、図２に示すように、六角形状の表示駒１２が四角形状の表示駒１１よりも大きくなってしまうため、一人の患者あたりのネームプレート１４の縦の幅が四角形状の表示駒１１を使用したネームプレート１３の縦の幅よりも大きくなってしまい、ボード形のナースコール親機が縦方向に大きくなってしまうという問題があった。
【発明の開示】
【発明が解決しようとする課題】
【００１１】
本発明は、このような問題を解決するために成されたものであり、複数の救護区分または一つの救護区分を表示可能とするとともに、一つの救護区分のみを表示する場合には、救護区分を六種類まで表示可能としつつ、ネームプレートに汎用性を持たせ、ボード形のナースコール親機が縦方向に大きくならないようにすることを目的とする。
【課題を解決するための手段】
【００１２】
上述した課題を解決するために、本発明の救護区分表示機能付きネームプレートは、少なくとも対向する二つの面が略正方形を成す六面体の正方形の中央部分に軸を設け、その軸により複数の六面体を回転可能に連結し、連結した六面体が略立方体を成すように形成して、その立方体を形成する六面に救護区分を示す表示を割り当てた救護区分表示駒と、救護区分表示駒を収容する救護区分表示駒収容部と、少なくとも一人の患者の患者情報を表示する患者情報表示部とを備え、救護区分表示駒収容部の少なくとも一部と救護区分表示駒との間に磁力を持たせるようにしている。
【発明の効果】
【００１３】
上記のように構成した本発明によれば、救護区分表示駒を形成する複数の六面体を回転させて救護区分表示駒を救護区分表示駒収容部に吸着させることで、救護区分表示機能付きネームプレートは、複数の救護区分を表示することができる。また、救護区分表示駒を形成する六面体を回転させて同じ救護区分を示す表示を同一の平面に揃えて、所望の救護区分が表面に出るように救護区分表示駒を救護区分表示駒収容部に吸着させることで、救護区分表示機能付きネームプレートは、一つの救護区分を表示することができる。また、一つの救護区分のみを表示する場合には、救護区分表示駒を形成する立方体がどの平面を表面にしても救護区分表示駒収容部に磁力によって吸着されるので、救護区分表示機能付きネームプレートは、救護区分を六種類まで表示することができる。
【００１４】
また、表示する救護区分の種類を増やしたい場合には、救護区分表示駒を形成する六面体の数を増やすように救護区分表示駒の構成を変更するだけで良く、救護区分表示駒収容部などは変更しなくても良いことから、救護区分表示機能付きネームプレートは、汎用性を持つことができる。また、一つの救護区分を表示する場合に、救護区分表示駒を形成する立方体の六つの平面が利用されるので、断面が正六角形状の救護区分表示駒を使用する場合に比べて、救護区分表示機能付きネームプレートの縦方向の幅が大きくなることが無くなり、ボード形のナースコール親機が縦方向に大きくならないようにすることができる。
【発明を実施するための最良の形態】
【００１５】
以下、本発明の一実施形態を図面に基づいて説明する。図１は、本実施形態による救護区分表示機能付きネームプレートの構成例を示す図である。図１に示すように、本実施形態による救護区分表示機能付きネームプレート１は、少なくとも一人の患者の患者情報を表示する患者情報表示部２と、救護区分表示駒３と、救護区分表示駒４を収容する救護区分表示駒収容部３とを備える。ここで、本実施形態による救護区分表示機能付きネームプレート１をボード形のナースコール親機に使用する場合には、複数のネームプレート１を縦横に並べる。これにより、複数の患者の患者情報を一覧表示することが可能となる。なお、本実施形態による救護区分表示機能付きネームプレート１をボード形のナースコール親機に使用する場合には、呼び出しを行った患者を特定できるように、図示しない呼び出し表示灯をネームプレート１に設けるようにしても良い。また、ボード形のナースコール親機により患者を呼び出すことができるように、図示しない呼び出し操作部をネームプレート１に設けるようにしても良い。
【００１６】
患者情報表示部２は、患者の氏名や患者が居る病室番号などを記入したカード（図示せず）を挿入できるように凹状部２ａを形成している。また、患者情報表示部２は、凹状部２ａに挿入したカードが容易に脱落しないように凹状部２ａの一部の上下に脱落防止片２ｂを形成している。なお、患者の氏名を表示する患者情報表示部と病室番号を表示する患者情報表示部とを別々に設けるようにしても良い。また、患者情報表示部２をホワイトボードなどにより構成して、専用のペンにより患者情報を記入するようにしても良い。
【００１７】
救護区分表示駒３は、少なくとも対向する二つの面が略正方形の三つの六面体を、正方形の中心部分を軸にして回転可能に連結して形成されている。また、救護区分表示駒３は、三つの六面体を連結した場合に、複数の六面体が略立方体を成すように形成されている。また、救護区分表示駒３は、立方体を形成する六面に救護区分を示す表示を割り当てるように形成されている。つまり、救護区分表示駒３は、三つの六面体をそれぞれ独立して回転させることで（図１（ｃ）参照）、三つの救護区分を表示可能となる。また、救護区分表示駒３は、三つの救護区分について、図１（ａ）に示すように第一の面、第二の面の二種類と、図１（ｃ）に示すように第五の面、第六の面の二種類との合わせて四種類の状態を表示可能となる。また、救護区分表示駒３は、図１（ａ）や図１（ｄ）に示すように、三つの六面体の第一の面を揃えることにより一つの救護区分を表示可能となる。また、救護区分表示駒３は、一つの救護区分について、図１（ａ）や図１（ｄ）に示すように、第一の面、第二の面、第三の面、第四の面、第五の面、第六の面の六種類の状態を表示可能となる。
【００１８】
救護区分表示駒収容部４は、救護区分表示駒３を収容できるような凹状に形成されている。ここで、救護区分表示駒３を救護区分表示駒収容部４に収容した場合に（図１（ｂ）参照）、救護区分表示駒３がネームプレート１から容易に脱落しないように、本実施形態による救護区分表示機能付きネームプレート１は、救護区分表示駒３と救護区分表示駒収容部４との間に磁力を持たせるようにしている。ここで、救護区分表示駒３と救護区分表示駒収容部４との間に磁力を持たせるためには、救護区分表示駒３を永久磁石などにより形成して救護区分表示駒収容部４の内壁の一部を鉄などの磁性体により形成する。また、救護区分表示駒収容部４の内壁の一部を永久磁石などにより形成して救護区分表示駒３を鉄などの磁性体により形成する。
【００１９】
なお、救護区分表示駒３自体を永久磁石により形成せずに、救護区分表示駒３の内部に磁石を内蔵させるようにしても良い。また、救護区分表示駒収容部４の内壁の一部を永久磁石などにより形成したり磁性体により形成したりするだけではなく、救護区分表示駒収容部４の内壁の全てを永久磁石などにより形成したり磁性体により形成したりしても良い。
【００２０】
また、本実施形態による救護区分表示機能付きネームプレート１は、救護区分表示駒収容部４に収容した救護区分表示駒３を医療従事者などが取り外せるように、救護区分表示駒３の一部が救護区分表示駒収容部４から突出するように収容している。なお、救護区分表示駒３が突出することが特に問題とならないような場合には、救護区分表示駒収容部４の奥方向の長さを極端に短くしても良い。
【００２１】
以上詳しく説明したように、本実施形態によれば、少なくとも対向する二つの面が略正方形を成す六面体の正方形の中央部分に軸を設け、その軸により三つの六面体を回転可能に連結し、連結した六面体が略立方体を成すように救護区分表示駒３を形成する。そして、救護区分表示駒３の立方体を形成する六面に救護区分を示す表示を割り当てるようにしている。このように構成した救護区分表示駒３を救護区分表示駒収容部４に収容し、少なくとも一人の患者の患者情報を表示する患者情報表示部２を備えるようにしている。また、救護区分表示駒３と救護区分表示駒収容部４の少なくとも一部との間に磁力を持たせるようにしている。
【００２２】
これにより、救護区分表示駒３を形成する複数の六面体を回転させて救護区分表示駒３を救護区分表示駒収容部４に吸着させることで、救護区分表示機能付きネームプレート１は、複数の救護区分を表示することができる。また、救護区分表示駒３を形成する六面体を回転させて同じ救護区分を示す表示を同一の平面に揃えて、所望の救護区分が表面に出るように救護区分表示駒３を救護区分表示駒収容部４に吸着させることで、救護区分表示機能付きネームプレート１は、一つの救護区分を表示することができる。また、一つの救護区分のみを表示する場合には、救護区分表示駒３を形成する立方体がどの平面を表面にしても救護区分表示駒収容部４に磁力によって吸着されるので、救護区分表示機能付きネームプレート１は、救護区分を六種類まで表示することができる。
【００２３】
なお、本実施形態では、連結した六面体を三つとしているが、これに限定されない。例えば、連結した六面体を二つとしたり、四つとしたりしても良い。具体的には、表示する救護区分が二つである場合には、図２（ａ）に示すように、二つの六面体を軸によって回転可能に連結し、連結した六面体が略立方体を成すように救護区分表示駒３Ａを形成するようにしている。一方、表示する救護区分が四つである場合には、図２（ｂ）に示すように、四つの六面体を軸によって回転可能に連結し、連結した六面体が略立方体を成すように救護区分表示駒３Ｂを形成するようにしている。
【００２４】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【図面の簡単な説明】
【００２５】
【図１】本実施形態による救護区分表示機能付きネームプレートの構成例を示す図である。
【図２】本実施形態による救護区分表示機能付きネームプレートに使用される救護区分表示駒の変形例を示す図である。
【図３】従来の救護区分表示機能付きネームプレートの例を示す断面図である。
【符号の説明】
【００２６】
１    救護区分表示機能付きネームプレート
２    患者情報表示部
２ａ    凹状部
２ｂ    脱落防止片
３    救護区分表示駒
４    救護区分表示駒収容部
【図１】
2009133983.tif 000003
【図２】
2009133983.tif 000004
【図３】
2009133983.tif 000005